(57)【要約】【課題】多層構造のゴルフボールなど，ＲＦタグを層間に内蔵させた球技用ボールにおいて，インパクトなどの衝撃に対するＲＦタグの耐久性をより高める。【解決手段】２層構造のゴルフボールであるＲＦタグ内蔵球技用ボール１は，モールド樹脂２１０で覆われたＩＣチップ２１とＩＣチップ２１に接続するアンテナ２２を基材シート２０の上に少なくとも実装したＲＦタグ２を内層（ここでは，コア層１０とカバー層１２）の境に内蔵し，モールド樹脂２１０を覆う第１の衝撃吸収部材２３にはＲＦタグ２が設けられている。【選択図】図１
2020081405.tif 000002
【特許請求の範囲】
【請求項１】
多層構造の球技用ボールであって，モールド樹脂で覆われたＩＣチップとこれに接続するアンテナを基材シートに少なくとも実装したＲＦタグを内層の境に内蔵し，前記モールド樹脂を覆う第１の衝撃吸収部材を前記ＲＦタグに設けたことを特徴とするＲＦタグ内蔵球技用ボール。
【請求項２】
前記基材シートを挟んで前記第１の衝撃吸収部材と対向する第２の衝撃吸収部材を前記ＲＦタグに設けたことを特徴とする，請求項１に記載したＲＦタグ内蔵球技用ボール。
【請求項３】
前記内層の半円周に長さを合わせた２つの前記ＲＦタグを，前記内層を挟んで互い違いに内蔵させたことを特徴とする，請求項１または２に記載したＲＦタグ内蔵球技用ボール。
【請求項４】
複数の貫通孔を前記基材シートに設けたことを特徴とする，請求項１から３のいずれか一項に記載したＲＦタグ内蔵球技用ボール。
【請求項５】
コア層とカバー層からなる２層構造のゴルフボールとし，前記内層を前記コア層としたことを特徴とする，請求項１から４のいずれか一項に記載したＲＦタグ内蔵球技用ボール。
【請求項６】
コア層，ミッド層およびカバー層からなる３層構造のゴルフボールとし，前記内層を前記コア層または前記ミッド層のいずれかとしたことを特徴とする，請求項１から４のいずれか一項に記載したＲＦタグ内蔵球技用ボール。
【発明の詳細な説明】
【技術分野】
【０００１】
本発明は，無線による個体識別で利用されるＲＦ（Radio-Frequency Identification）タグに関し，更に詳しくは，ＲＦタグをゴルフボールに内蔵させることを目的とした発明である。
【背景技術】
【０００２】
アンテナとこれに接続するＩＣチップとから少なくともなるＲＦタグをゴルフボールに内蔵させる試みが以前よりなされている。ＲＦタグをゴルフボールに内蔵させることで，ロストボールを無線により探すことできるし，また，製造情報や性能情報をゴルフボールに記憶できる。
【０００３】
ＲＦタグをゴルフボールに内蔵させる発明として，特許文献１では，ＲＦタグを構成するアンテナを導電性インクによりゴルフボールの表面に形成し，ＲＦタグを構成するＩＣチップをゴルフボールに内蔵させる発明が開示されている。また，特許文献２では，ゴルフクラブのフェース面がゴルフボールに当たる瞬間であるインパクトの衝撃によるＲＦタグの破損を防止するため，ゴルフボールのコアの中心にＲＦタグを内蔵する発明が開示されている。更に，特許文献３では，インパクトの衝撃によるＲＦタグの破損を防止するため，ＲＦタグに加えて，ＲＦタグに一部が周置された第２アンテナを，コア層の外周を包囲するカバー層の間に配置する発明が開示されている。
【先行技術文献】
【特許文献】
【０００４】
【特許文献１】特開２０１３−１５４１７６号公報
【特許文献２】特開２０１６−７４９６号公報
【特許文献３】特開２０１７−１２３８３号公報
【発明の概要】
【発明が解決しようとする課題】
【０００５】
特許文献２，３で開示されている発明では，インパクトの衝撃によるＲＦタグの破損を考慮されているが，インパクトの衝撃に対するＲＦタグの耐久性は高いほど望ましい。
【０００６】
そこで，本発明は，多層構造のゴルフボールなど，ＲＦタグを層間に内蔵させた球技用ボールにおいて，インパクトなどの衝撃に対するＲＦタグの耐久性をより高めることを目的とする。
【課題を解決するための手段】
【０００７】
上述した課題を解決する第１発明は，多層構造の球技用ボールであって，モールド樹脂で覆われたＩＣチップと前記ＩＣチップに接続するアンテナを基材シートの上に少なくとも実装したＲＦタグを内層の境に内蔵し，前記モールド樹脂を覆う第１の衝撃吸収部材を前記ＲＦタグに設けたことを特徴とするＲＦタグ内蔵球技用ボールである。インパクトの衝撃に対する前記ＲＦタグの耐久性をより高めるために，第１発明に係るＲＦタグ内蔵球技用ボールは，前記ＲＦタグを設ける内層より外側になる層に加え，前記モールド樹脂を覆う前記第１の衝撃吸収部材によりインパクトの衝撃を吸収するように構成されている。
【０００８】
更に，第２発明は，第１発明に記載したＲＦタグ内蔵球技用ボールにおいて，前記基材シートを挟んで前記第１の衝撃吸収部材と対向する第２の衝撃吸収部材を前記ＲＦタグに設けたことを特徴とする。前記第２の衝撃吸収部材を前記ＲＦタグに設けることで，第２発明に係るＲＦタグ内蔵球技用ボールにおいて，インパクトなどの衝撃に対する耐久性は第１発明より高まる。
【０００９】
更に，第３発明は，第１発明または第２発明に記載したＲＦタグ内蔵球技用ボールにおいて，前記内層の半円周に長さを合わせた２つの前記ＲＦタグを，前記内層を挟んで互い違いに内蔵させたことを特徴とする。前記内層の半円周に長さを合わせた２つの前記ＲＦタグを，前記内層を挟んで互い違いに内蔵させることで，ボールバランスは極端に悪化しない。
【００１０】
更に，第４発明は，第１発明から第３発明のいずれか一つに記載したＲＦタグ内蔵球技用ボールにおいて，複数の貫通孔を前記基材シートに設けたことを特徴とする。前記複数の貫通孔を前記基材シートに設けることで，前記ＲＦタグを内蔵した箇所における層間の密着性を高めることができる。
【００１１】
更に，第５発明は，第１発明から第４発明のいずれか一つに記載したＲＦタグ内蔵球技用ボールにおいて，コア層とカバー層からなる２層構造のゴルフボールとし，前記内層を前記コア層としたことを特徴とする。第５発明は，２層構造のゴルフボール（ツーピースボール）に本発明を適用した発明である。
【００１２】
更に，第６発明は，第１発明から第４発明のいずれか一つに記載したＲＦタグ内蔵ゴルフボールにおいて，コア層，ミッド層およびカバー層からなる３層構造のゴルフボールとし，前記内層を前記コア層または前記ミッド層のいずれかとしたことを特徴とする。第６発明は，３層構造のゴルフボール（スリーピースボール）に本発明を適用した発明である。
【発明の効果】
【００１３】
上述した本発明では，衝撃吸収部材をＲＦタグに設けることで，インパクトの衝撃に対するＲＦタグの耐久性をより高めている。
【図面の簡単な説明】
【００１４】
【図１】ＲＦタグ内蔵球技用ボールの構造を説明する図。
【図２】ＲＦタグ内蔵球技用ボールに内蔵させるＲＦタグを説明する図。
【図３】２つのＲＦタグの位置関係を説明する図。
【図４】３層構造のＲＦタグ内蔵球技用ボールを説明する図。
【発明を実施するための形態】
【００１５】
ここから，本発明をゴルフボールに適用した実施形態について記載する。本実施形態は，本発明の理解を容易にするためのものであり，本発明は，本実施形態に限定されるものではない。また，特に断りのない限り，図面は，本発明の理解を容易にするために描かれた模式的な図である。
【００１６】
図１は，実施形態に係るＲＦタグ内蔵球技用ボール１の構造を説明する図で，図２は，ＲＦタグ内蔵球技用ボール１に内蔵させるＲＦタグ２を説明する図である。
【００１７】
図１で図示したように，実施形態に係るＲＦタグ内蔵球技用ボール１は，多層構造のゴルフボールで，モールド樹脂２１０で覆われたＩＣチップ２１とＩＣチップ２１に接続するアンテナ２２を基材シート２０の上に少なくとも実装したＲＦタグ２を内層の境に内蔵し，モールド樹脂２１０を覆う第１の衝撃吸収部材２３をＲＦタグ２に設けたことを特徴とする。
【００１８】
具体的に，図１で図示したＲＦタグ内蔵球技用ボール１は，反発力の高いゴム素材を素材とし，ＲＦタグ内蔵球技用ボール１の最内層になるコア層１０と，ウレタン樹脂などの樹脂素材を素材とし，コア層１０の外面を包囲するカバー層１２からなる２層構造のゴルフボールで，ＲＦタグ２はコア層１０とカバー層１２の境に内蔵されている。図１では，カバー層１２に，複数のディンプル１２０を形成している。
【００１９】
図２で図示したように，本実施形態に係るＲＦタグ２の形状は帯状で，ＲＦタグ２は，モールド樹脂２１０で覆った構成のＩＣチップ２１とこれに接続するアンテナ２２，並びに，モールド樹脂２１０を少なくとも覆う第１の衝撃吸収部材２３を基材シート２０の上に実装した構造になっている。ＲＦタグ内蔵球技用ボール１に内蔵させるＲＦタグ２の動作周波数はＵＨＦ帯（860Mhz−960Mhz）で， 図２（ａ）などで図示したように，ＲＦタグ２が備えるアンテナ２２は，２つの放射板２２１と１つの整合回路２２０を有し，ＩＣチップ２１は整合回路２２０と接続している。
【００２０】
ＩＣチップ２１を少なくとも覆う第１の衝撃吸収部材は，インパクトの衝撃を吸収し，インパクトの衝撃でＩＣチップ２１が受ける衝撃を小さくするための部材である。図２（ａ）では，ＩＣチップ２１を覆うモールド樹脂２１０の上にのみ第１の衝撃吸収部材２３を設けているが，図２（ｂ）で図示したように，基材シート２０を挟んで第１の衝撃吸収部材２３と対向する第２の衝撃吸収部材２４をＲＦタグ２に設けることができる。なお，インパクトの衝撃を吸収し，モールド樹脂２１０で覆われたＩＣチップ２１が破損しないようにするためには，ヤング率が１ＭＰａ以上１００ＭＰａ以下の衝撃吸収材料を第１の衝撃吸収部材２３などに用いることが望ましい。
【００２１】
ＲＦタグ内蔵球技用ボール１の内層の境にＲＦタグ２を内蔵すると，ＲＦタグ２の内側になる層（ここでは，コア層１０）とＲＦタグ２の外側になる層（ここでは，カバー層１２）の密着性が弱くなることが考えられる。図２（ｃ）で図示したように，少なくともＲＦタグ２の基材シート２０に複数の貫通孔２５を設けておくと，ＲＦタグ内蔵球技用ボール１を成型するときに，ＲＦタグ２の外側になる層（ここでは，カバー層１２）の材料が貫通孔２５を満たし，層間の密着性を高めることができる。なお，貫通孔２５は，通信特性に支障が出ない範囲で，ＲＦタグ２のアンテナ２２の内部にも設けることができる。なお，通信特性に支障が出ない範囲で，ＲＦタグ２のアンテナ２２の内部にも設ける際は，アンテナ２２の外周形状を損なわないことが重要になる。
【００２２】
図３は，２つのＲＦタグ２の相対位置関係を説明する図である。図１で図示したように，ＲＦタグ内蔵球技用ボール１には２つのＲＦタグ２を内蔵させている。これは，ＲＦタグ内蔵球技用ボール１のボールバランスを悪化させないためである。ＲＦタグ内蔵球技用ボール１に内蔵するＲＦタグ２は１個でもよいが，ＲＦタグ内蔵球技用ボール１のボールバランスが問題になる場合は，２つのＲＦタグ２をＲＦタグ内蔵球技用ボール１に内蔵させることでボールバランスの悪化を防ぐことができる。
【００２３】
ＲＦタグ内蔵球技用ボール１では，ＲＦタグ内蔵球技用ボール１のボールバランスを考慮し，ＲＦタグ２を付ける内層の半円周に長さを合わせた２つのＲＦタグ２を，内層を挟んで互い違いになるように内蔵させている。２つのＲＦタグ２が内層を挟んで互い違いになるとは，具体的に，２つのＲＦタグ２が内層（ここでは，コア層１０）を挟んで対向し，２つのＲＦタグ２の相対角度が９０度になっている状態を意味する。
【００２４】
図１で図示したＲＦタグ内蔵球技用ボール１は２層構造のゴルフボールであったが，本発明は，３層構造のゴルフボールにも適用できる。図４は，カバー層１２，ミッド層１１およびコア層１０からなる３層構造のゴルフボールに本発明を適用した３層構造のＲＦタグ内蔵球技用ボール３を説明する図である。
【００２５】
３層構造のゴルフボールに本発明を適用したＲＦタグ内蔵球技用ボール３の場合，内層の境は，カバー層１２とミッド層１１の境，または，ミッド層１１とコア層１０の境の２つがあるが，ＲＦタグ２を内蔵させる内層の境はいずれでもよい。図４（ａ）で図示した３層構造のＲＦタグ内蔵球技用ボール３ａでは，カバー層１２とミッド層１１の境にＲＦタグ２を内蔵させている。また，図４（ｂ）で図示した３層構造のＲＦタグ内蔵球技用ボール３ｂでは，ミッド層１１とコア層１０の境にＲＦタグ２を内蔵させている。
【００２６】
これまで，本発明をゴルフボールに適用した実施形態について記載したが，本発明を適用できる球技用ボールはゴルフボールに限定されない。本発明は多層構造の硬式野球ボールにも適用可能である。
【符号の説明】
【００２７】
１    ＲＦタグ内蔵球技用ボール
１０  コア層
１２  カバー層
２    ＲＦタグ
２０  基材シート
２１  ＩＣチップ
２１０  モールド樹脂
２２  アンテナ
２３  第１の衝撃吸収部材
２４  第２の衝撃吸収部材
２５  貫通孔
３    ３層構造のＲＦタグ内蔵球技用ボール
１１  ミッド層
【図１】
2020081405.tif 000003
【図２】
2020081405.tif 000004
【図３】
2020081405.tif 000005
【図４】
2020081405.tif 000006